(57)【要約】【課題】小型化を図る上で有利なレンズ鏡筒および撮像装置を提供する。【解決手段】雌ねじ部材４８は、可動レンズ枠３４に前記光軸方向に移動不能にかつ前記光軸と平行する仮想軸の回りに回転可能に結合され雄ねじ部材４０が螺合される雌ねじ部４８０２を有する。雌ねじ部材４８が可動レンズ枠３４に回転可能に結合された回転中心は、光軸方向から見て、メインガイド軸３６の断面の輪郭内に位置している。したがって、雌ねじ部材４８の回転中心を鏡筒１６の内部に確保しつつ、光軸と直交する方向における雌ねじ部材４８の占有スペースを削減でき、これにより、レンズ鏡筒１６の光軸と直交する方向の寸法を縮小することができる。【選択図】        図１０
2007079206.tif 000002
【特許請求の範囲】
【請求項１】
鏡筒と、
前記鏡筒の内部に設けられた撮像素子と、
前記鏡筒の内部に設けられた可動レンズと、
前記可動レンズを保持する可動レンズ枠と、
前記鏡筒の内部で前記可動レンズの光軸と平行する方向に延在し前記可動レンズ枠に係合することで前記可動レンズ枠を前記光軸方向に移動可能に案内するガイド軸と、
前記鏡筒の内部で前記ガイド軸の延在方向と直交する方向に間隔をおいて前記ガイド軸と平行して延在する雄ねじ部材と、
前記雄ねじ部材を回転駆動する駆動源と、
前記可動レンズ枠に前記光軸方向に移動不能にかつ前記光軸と平行する仮想軸の回りに回転可能に結合され前記雄ねじ部材が螺合される雌ねじ部を有する雌ねじ部材とを備えるレンズ鏡筒であって、
前記雌ねじ部材が前記可動レンズ枠に回転可能に結合された回転中心は、前記光軸方向から見て、前記ガイド軸の断面の輪郭内に位置している、
ことを特徴とするレンズ鏡筒。
【請求項２】
前記雌ねじ部材が前記可動レンズ枠に回転可能に結合された回転中心と前記ガイド軸の軸心とが合致していることを特徴とする請求項１記載のレンズ鏡筒。
【請求項３】
前記雌ねじ部材は筒状部を有し、
前記筒状部は、前記ガイド軸の外周面よりも大きい寸法の内径で形成された内周面と、前記内周面と同軸上で前記内周面よりも大きい寸法で形成された外周面とを有し、
前記可動レンズ枠には前記外周面に回転可能に結合される内周面が形成され、
前記筒状部の前記外周面と前記可動レンズ枠の前記内周面とが結合されることで前記雌ねじ部材が前記可動レンズ枠に回転可能に結合されていることを特徴とする請求項１記載のレンズ鏡筒。
【請求項４】
前記雌ねじ部材は、前記光軸方向に間隔をおいた複数の筒状部を有し、
前記各筒状部は、前記ガイド軸の外周面よりも大きい寸法の内径で形成された内周面と、前記内周面と同軸上で前記内周面よりも大きい寸法で形成された外周面とを有し、
前記可動レンズ枠には前記各外周面に回転可能に結合される複数の内周面が形成され、
前記各筒状部の前記外周面と前記可動レンズ枠の各内周面とが結合されることで前記雌ねじ部材が前記可動レンズ枠に回転可能に結合されていることを特徴とする請求項１記載のレンズ鏡筒。
【請求項５】
鏡筒と、
前記鏡筒の内部に設けられた撮像素子と、
前記鏡筒の内部に設けられた可動レンズと、
前記可動レンズを保持する可動レンズ枠と、
前記鏡筒の内部で前記可動レンズの光軸と平行する方向に延在し前記可動レンズ枠に係合することで前記可動レンズ枠を前記光軸方向に移動可能に案内するガイド軸と、
前記鏡筒の内部で前記ガイド軸の延在方向と直交する方向に間隔をおいて前記ガイド軸と平行して延在する雄ねじ部材と、
前記雄ねじ部材を回転駆動する駆動源と、
前記可動レンズ枠に前記光軸方向に移動不能にかつ前記光軸と平行する仮想軸の回りに回転可能に結合され前記雄ねじ部材が螺合される雌ねじ部を有する雌ねじ部材とを備えたレンズ鏡筒を有する撮像装置であって、
前記雌ねじ部材が前記可動レンズ枠に回転可能に結合された回転中心は、前記光軸方向から見て、前記ガイド軸の断面の輪郭内に位置している、
ことを特徴とする撮像装置。
【発明の詳細な説明】
【技術分野】
【０００１】
本発明はレンズ鏡筒および撮像装置に関する。
【背景技術】
【０００２】
デジタルスチルカメラやデジタルビデオカメラ等の撮像装置にはレンズ鏡筒が設けられている。
レンズ鏡筒として、鏡筒と、鏡筒の内部に設けられた撮像素子と、鏡筒の内部に設けられた可動レンズと、可動レンズを保持する可動レンズ枠と、可動レンズの光軸と平行する方向に延在し可動レンズ枠に係合することで可動レンズ枠を光軸方向に移動可能に案内するガイド軸と、可動レンズ枠を移動させる駆動手段とを備えたものが提供されている。
この種の駆動手段では、鏡筒の内部で光軸と平行して延在し回転駆動される雄ねじ部材と、可動レンズ枠に光軸方向に移動不能に結合されるとともに雄ねじ部材にねじ結合される雌ねじを有する雌ねじ部材とが用いられている。
そして、雄ねじ部材の回転により雌ねじ部材に回転モーメントが作用しても可動レンズ枠の移動が円滑になされるように、雌ねじ部材を可動レンズ枠に、光軸と平行する仮想軸の回りに回転可能に結合させたものが提案されている（特許文献１参照）。
【特許文献１】特開２００１−１８３５６５号公報
【発明の開示】
【発明が解決しようとする課題】
【０００３】
ところで、近年、このようなレンズ鏡筒を有する撮像装置の小型化を図る上でレンズ鏡筒の小型化、特に、レンズ鏡筒の光軸と直交する方向の寸法を縮小することが要求されている。
しかしながら、上述のように、雌ねじ部材を可動レンズ枠に、光軸と平行する仮想軸の回りに回転可能に結合させたものでは、ガイド軸と雌ねじ部材が可動レンズ枠に回転可能に結合される箇所との距離、および、雌ねじ部材が可動レンズ枠に回転可能に結合される箇所と雄ねじ部材との距離を鏡筒の内部に確保する必要があり、光軸と直交する方向における占有スペースを削減する上で不利があり、レンズ鏡筒を小型化する上で不利があった。
したがって、雌ねじ部材が光軸と直交する方向において占有するスペースを如何に削減するかが重要となってきている。
本発明は、このような事情に鑑みなされたもので、その目的は、小型化を図る上で有利なレンズ鏡筒および撮像装置を提供することにある。
【課題を解決するための手段】
【０００４】
上述の目的を達成するため、本発明は、鏡筒と、前記鏡筒の内部に設けられた撮像素子と、前記鏡筒の内部に設けられた可動レンズと、前記可動レンズを保持する可動レンズ枠と、前記鏡筒の内部で前記可動レンズの光軸と平行する方向に延在し前記可動レンズ枠に係合することで前記可動レンズ枠を前記光軸方向に移動可能に案内するガイド軸と、前記鏡筒の内部で前記ガイド軸の延在方向と直交する方向に間隔をおいて前記ガイド軸と平行して延在する雄ねじ部材と、前記雄ねじ部材を回転駆動する駆動源と、前記可動レンズ枠に前記光軸方向に移動不能にかつ前記光軸と平行する仮想軸の回りに回転可能に結合され前記雄ねじ部材が螺合される雌ねじ部を有する雌ねじ部材とを備えるレンズ鏡筒であって、前記雌ねじ部材が前記可動レンズ枠に回転可能に結合された回転中心は、前記光軸方向から見て、前記ガイド軸の断面の輪郭内に位置していることを特徴とする。
また、本発明は、鏡筒と、前記鏡筒の内部に設けられた撮像素子と、前記鏡筒の内部に設けられた可動レンズと、前記可動レンズを保持する可動レンズ枠と、前記鏡筒の内部で前記可動レンズの光軸と平行する方向に延在し前記可動レンズ枠に係合することで前記可動レンズ枠を前記光軸方向に移動可能に案内するガイド軸と、前記鏡筒の内部で前記ガイド軸の延在方向と直交する方向に間隔をおいて前記ガイド軸と平行して延在する雄ねじ部材と、前記雄ねじ部材を回転駆動する駆動源と、前記可動レンズ枠に前記光軸方向に移動不能にかつ前記光軸と平行する仮想軸の回りに回転可能に結合され前記雄ねじ部材が螺合される雌ねじ部を有する雌ねじ部材とを備えたレンズ鏡筒を有する撮像装置であって、前記雌ねじ部材が前記可動レンズ枠に回転可能に結合された回転中心は、前記光軸方向から見て、前記ガイド軸の断面の輪郭内に位置していることを特徴とする。
【発明の効果】
【０００５】
本発明によれば、雌ねじ部材が可動レンズ枠に回転可能に結合された回転中心が、光軸方向から見て、ガイド軸の断面の輪郭内に位置しているので、雌ねじ部材の回転中心を鏡筒の内部に確保しつつ、光軸と直交する方向における雌ねじ部材の占有スペースを削減することができる。したがって、レンズ鏡筒の光軸と直交する方向の寸法を縮小することができ、レンズ鏡筒および撮像装置の小型化を図る上で有利となる。
【発明を実施するための最良の形態】
【０００６】
（第１の実施の形態）
次に本発明の実施の形態について図面を参照して説明する。
図１は本実施の形態の撮像装置１０を前方から見た斜視図、図２は撮像装置１０の制御系の構成を示すブロック図である。
図１に示すように、本実施の形態において撮像装置１０はビデオカメラであって、外装を構成するケース１２を有し、ケース１２は、左右方向の幅と、この幅よりも大きな寸法の前後方向の長さと、この長さよりも大きな寸法の上下方向の高さとを有している。
なお、本明細書において左右は、撮像装置１０を前方から見た状態でいうものとし、また、被写体側を前方といい、その反対側を後方という。
ケース１２の前面１２Ａの上部には、本発明に係るレンズ鏡筒１４が組み込まれている。
レンズ鏡筒１４は、図２に示すように、鏡筒１６と、鏡筒１６の前端に組み込まれた対物レンズ１８と、鏡筒１６の後端に設けられた撮像素子２０と、鏡筒１６内部で対物レンズ１８の後方に配置され対物レンズ１８で捉えた被写体像を撮像素子２０に導く可動レンズ２２を含む複数のレンズなどを含んで構成され、これら対物レンズ１８、可動レンズ２２、複数のレンズによって撮影光学系２４が構成されている。
なお、可動レンズ２２は、後述するようにその光軸方向に移動することで他のレンズと協働して合焦動作を行うフォーカシングレンズ、あるいは、変倍動作を行うズーミングレンズとして機能するものである。
【０００７】
レンズ鏡筒１４は、図１に示すように、ケース１２の前面１２Ａの上部の飾りリング１２０２の内部に対物レンズ１８が位置するようにケース１２に組み込まれている。
図１に示すように、ケース１２内の左側面１２Ｃ側には、撮像素子２０で撮像された被写体像の静止画および動画のデータを記録媒体（例えば、磁気テープ、光ディスク、光磁気ディスクなど）に記録再生する記録再生部２６などが配置されている。
ケース１２の右側面１２Ｄには撮像素子２０によって撮像された被写体像などを表示するためのディスプレイ装置２８が開閉可能に設けられている。
ケース１２の後面１２Ｂおよび左側面１２Ｃには、撮影スタートストップスイッチなどの操作スイッチ３０Ａ（図２参照）や種々の設定を行うための複数の設定スイッチ３０Ｂ（図２参照）が設けられている。
ケース１２の後面１２Ｂの上部には撮像素子２０によって撮像された被写体像などを視認するためのビューファインダー装置３２が組み込まれている。
【０００８】
図２に示すように、撮像素子２０は、撮影光学系２４によって結像された被写体像を撮像するＣＣＤやＣＭＯＳセンサなどで構成されている。
撮像素子２０で撮像された像は撮像信号として画像処理部１００２に出力され、画像処理部１００２ではこの撮像信号に基づいて静止画あるいは動画の画像データが生成され、記録再生部２６により前記記憶媒体に記録され、また、記録再生部２６により前記記録媒体から画像データが再生される。
また、前記画像データは表示処理部１００４によりディスプレイ２８およびビューファインダー装置３２に表示される。
さらに、撮像装置１０は、操作スイッチ３０Ａ、設定スイッチ３０Ｂの操作に応じて、画像処理部１００２、表示処理部１００４を制御するＣＰＵなどを含む制御部１１００６を備えている。
【０００９】
図３、図４はレンズ鏡筒１４の斜視図、図５、図６はレンズ鏡筒１４の内部構成を示す説明図である。
図３に示すように、鏡筒１６は、その軸心と直交する断面がほぼ矩形枠状を呈する４つの側壁１６０２を有しており、鏡筒１６の前端１６０４に筒状の保持枠を介して対物レンズ１８（図１）が組み付けられ、鏡筒１６の後端１６０６に撮像素子２０が組み付けられる。
４つの側壁１６０２のうちの１つの側壁１６０２には前後方向に沿って延在するほぼ矩形状の開口１６０８が形成されている。
【００１０】
鏡筒１６の内部には、図５、図６に示すように、可動レンズ２２と、可動レンズ２２を保持する可動レンズ枠３４と、メインガイド軸３６およびサブガイド軸３８と、雄ねじ部材４０と、駆動源４４と、ホルダ４６と、雌ねじ部材４８とが設けられている。
メインガイド軸３６とサブガイド軸３８は、可動レンズ２２の光軸と直交する方向に間隔をおきかつ可動レンズ２２の光軸と平行する方向に延在して配設され、それらの両端が前壁１６０２と後壁１６０４に取着されている。
可動レンズ枠３４は板状の本体３４０２を有し、本体３４０２の中央に形成された開口に可動レンズ２２が組み込まれ保持されている。
可動レンズ枠３４は、本体３４０２の一側に設けられた軸受部３４０４がメインガイド軸３６に摺動可能に結合され、かつ、本体３４０２の他側に設けられた係合部３４０６がサブガイド軸３８に摺動可能に結合されることで、可動レンズ２２の光軸方向に移動可能に、かつ、メインガイド軸３６回りの回転が阻止された状態で案内される。
【００１１】
図７（Ａ）は図６のＡＡ線断面図、（Ｂ）は（Ａ）のＢＢ線断面図である。
詳細に説明すると、図７（Ａ）に示すように、軸受部３４０４は、本体３４０２から後方に筒状に延出形成されている。
軸受部３４０４の前端と後端に設けられた前壁３４０８および後壁３４１０には、可動レンズ２２の光軸と平行する同一の軸線上に軸受孔３４１２、３４１４がそれぞれ設けられ、これら軸受孔３４１２、３４１４にメインガイド軸３６が挿通されることで軸受部３４０４がメインガイド軸３６に摺動可能に結合されている。
また、軸受部３４０４の前壁３４０８と後壁３４１０との間の中間箇所に中間壁３４１６が設けられている。
前壁３４０８が中間壁３４１６に臨む箇所には、軸受孔３４１２と同軸上で軸受孔３４１２よりも大きい内径で内周面３４２０が形成されている。
中間壁３４１６には、軸受孔３４１２と同軸上で軸受孔３４１２によりも大きい内径で内周面３４２２が形成されている。
また、前壁３４０８と中間壁３４１６との間に位置する軸受部３４０４箇所に、雌ねじ部材４８の一部を挿入するための切り欠き３４２４が設けられている。
【００１２】
図９は可動レンズ枠３４とホルダ４６の斜視図である。
図９に示すように、ホルダ４６は、雄ねじ部材４０および駆動源４４を配設するための部材である。
ホルダ４６は、帯板状に形成された本体板部４６０２と、本体板部４６０２の長手方向の両端からそれぞれ屈曲された前屈曲片４６０４、後屈曲片４６０６とを有している。
雄ねじ部材４０は、その両端がホルダ４６の前屈曲片４６０４および後屈曲片４６０６に回転可能に支持されている。
駆動源４４はモータで構成され、その出力軸が雄ねじ部材４０に結合された状態でホルダ４６の後屈曲片４６０６に取着され、雄ねじ部材４０を回転駆動するように構成されている。なお、駆動源４４に対する駆動信号の供給は制御部１００６に接続されたドライバ回路（不図示）によってなされる。
図４に示すように、ホルダ４６は、雄ねじ部材４０と駆動源４４が組み付けられた状態でその長手方向を可動レンズ２２の光軸と平行させた状態で、本体４６０２で開口１６０８を塞ぐように鏡筒１６に取り付けられる。
これにより、雄ねじ部材４０は、鏡筒１６の内部でメインガイド軸３６の延在方向と直交する方向に間隔をおいてメインガイド軸３６と平行して延在する。
【００１３】
図９に示すように、雌ねじ部材４８は、可動レンズ枠３４に前記光軸方向に移動不能にかつ前記光軸と平行する仮想軸の回りに回転可能に結合され雄ねじ部材４０が螺合される雌ねじ部４８０２を有する。
図８（Ａ）、（Ｂ）は雌ねじ部材４８の斜視図である。
詳細に説明すると、図８（Ａ）、（Ｂ）に示すように、雌ねじ部材４８は、光軸方向に間隔をおいた２つの筒状部４８０４を有している。
各筒状部４８０４は、メインガイド軸３６の外周面よりも大きい寸法の内径で形成された内周面４８０６と、内周面４８０６と同軸上で内周面４８０６よりも大きい寸法で形成された外周面４８０８とを有している。
図７に示すように、雌ねじ部材４８は各筒状部４８０４が切り欠き３４２４から軸受部３４０４の内部に挿入され、各筒状部４８０４の外周面４８０８と可動レンズ枠３４の各内周面３４２０、３４２２とが結合されることで雌ねじ部材４８が可動レンズ枠３４に回転可能に結合される。
したがって、雌ねじ部材４８は、内周面３４２０、３４２２の軸心、すなわち、メインガイド軸３６の軸心を回転中心Ｏ１として回転可能に可動レンズ枠３４に結合されている。
また、図７に示すように、雌ねじ部材４８が可動レンズ枠３４に回転可能に結合された状態で、メインガイド軸３６が軸受部３４０４の軸受孔３４１２、３４１４と雌ねじ部材４８の各内周面４８０６を挿通している。
この状態で、メインガイド軸３６の外周面と軸受孔３４１２、３４１４は摺接しているが、内周面４８０６はメインガイド軸３６の外周面よりも大きい寸法の内径で形成されているため、メインガイド軸３６の外周面と各内周面４８０６との間には環状の隙間が形成され互いに非接触となっている。
【００１４】
雌ねじ部材４８が可動レンズ枠３４に回転可能に結合された回転中心は、光軸方向から見て、メインガイド軸３６の断面の輪郭内に位置しており、本実施の形態では、雌ねじ部材４８が可動レンズ枠３４に回転可能に結合された回転中心Ｏ１とメインガイド軸３６の軸心とが合致している。
また、雌ねじ部材４８は、各筒状部４８０４の軸心と離れた箇所で雄ねじ部材４０を径方向で挟む脚部４８１０を有している。これら脚部４８１０は雄ねじ部材４０の長手方向に位相をずらして突設されており、雌ねじ部４８０２は、各脚部４８１０の内側に形成され雄ねじ部材４０の外周に係合する凸条４８１２で構成されている。
そして、一方の雌ねじ部４８０２に対向するようにばね部４８１４が設けられ、このばね部４８１４を雄ねじ部材４０に押圧することで雄ねじ部材４０を前記一方の雌ねじ部４８０２に噛合させるように付勢している。
なお、雌ねじ部材４８は合成樹脂製で、脚部４８１０やばね部４８１４は弾性変形可能である。
【００１５】
雄ねじ部材４０と駆動源４４が組み付けられたホルダ４６を鏡筒１６の開口１６０８に組み込む際には、図３に示すように、２つの脚部４８１０が開口１６０８を介して外方に臨むように、雌ねじ部材４８を前記光軸と平行する仮想軸の回りに回転させておく。
この状態で、図４に示すように、雄ねじ部材４０が２つの脚部４８１０の間に位置するように、２つの脚部４８１０の間を押し広げて雄ねじ部材４０を鏡筒１６の開口１６０８から挿入する。
雌ねじ部材４８の２つの脚部４８１０が雄ねじ部材４０を挟んだ状態となったならば、雄ねじ部材４０が鏡筒１６の内方に位置するようにホルダ４６を押し込むことで、雌ねじ部材４８を前記光軸と平行する仮想軸の回りに回転させ、２つの脚部４８１０が開口１６０８に臨んだ位置から９０度回転した位置に移動させる。
図１０はこの状態をレンズ鏡筒１４を光軸方向から見た図である。
これにより、図１０に示すように、雌ねじ部材４８の２つの脚部４８１０が鏡筒１６の側壁１６０２の内側に収容され、２つの脚部４８１０はその延在方向が互いに平行した状態となる。
この状態で、ホルダ４６の本体４６０２を開口１６０８にねじなどにより取着することで、雄ねじ部材４０と駆動源４４が組み付けられたホルダ４６の鏡筒１６に対する組み付けが完了する。
【００１６】
次に動作について説明する。
制御部１００６の制御により駆動源４４に駆動信号が供給され駆動源４４が動作して雄ねじ部材４０が正逆方向に回転駆動されると、雌ねじ部材４８がメインガイド軸３６およびサブガイド軸３８に沿って光軸方向に移動し、これにより、可動レンズ枠３４は雌ねじ部材４８と一体的に光軸方向に移動する。
この際、雄ねじ部材４０の回転に伴い雄ねじ部材４０がその長手方向と直交する方向に振れるなどして雌ねじ部材４８に回転モーメントが作用しても、雌ねじ部材４８は雄ねじ部材４０の動きに追従して前記光軸と平行する仮想軸の回りに揺動する（本実施の形態ではメインガイド軸３６の軸心の回りに揺動する）。
したがって、雌ねじ部材４８から可動レンズ枠３４に対して光軸と直交する方向に無理な力が作用することなく、可動レンズ枠３４は光軸に沿って円滑に移動することができる。
【００１７】
本実施の形態によれば、雌ねじ部材４８が可動レンズ枠３４に回転可能に結合された回転中心Ｏ１が、光軸方向から見て、メインガイド軸３６の断面の輪郭内に位置している。
したがって、雌ねじ部材４８の回転中心Ｏ１を鏡筒１６の内部に確保しつつ、光軸と直交する方向における雌ねじ部材４８の占有スペースを削減できる。
比較例を参照して詳細に説明すると、本発明を採用しない比較例では、図１１に示すように、鏡筒１６の内部に、メインガイド軸３６と雌ねじ部材４８が可動レンズ枠３４に回転可能に結合される箇所４８２０の距離Ｌ１と、雌ねじ部材４８が可動レンズ枠３４に回転可能に結合される箇所４８２０と雄ねじ部材４０との距離Ｌ２を確保する必要がある。
これに対して本実施の形態では、図１０に示すように、メインガイド軸３６と雌ねじ部材４８が可動レンズ枠３４に回転可能に結合される箇所４８２０（回転中心Ｏ１）との距離Ｌ１をメインガイド軸３６の半径以下に短縮することが可能となり、距離Ｌ１と距離Ｌ２との総和を大幅に短縮することが可能となる。
また、実施の形態のように、雌ねじ部材４８が可動レンズ枠３４に回転可能に結合された回転中心Ｏ１とメインガイド軸３６の軸心とを合致させた場合には、距離Ｌ１をゼロとすることができ、距離Ｌ１と距離Ｌ２との総和を大幅に短縮する上で有利となる。
したがって、レンズ鏡筒１４の光軸と直交する方向の寸法を縮小することができ、レンズ鏡筒１４および撮像装置１０の小型化を図る上で有利となる。
例えば、図１１の比較例に比べて図１０にハッチングで示すスペース分、レンズ鏡筒１４の光軸と直交する方向の寸法を縮小することができる。
【００１８】
なお、本実施の形態では、雌ねじ部材４８が可動レンズ枠３４に回転可能に結合された回転中心とメインガイド軸３６の軸心とを合致させた場合について説明したが、雌ねじ部材４８が可動レンズ枠３４に回転可能に結合された回転中心を、例えば、軸受孔３４１２、３４１４の中心に対して内周面３４２０、３４２２の中心をずらすなどすることで光軸方向から見て、メインガイド軸３６の断面の輪郭内に位置させれば、メインガイド軸３６と雌ねじ部材４８が可動レンズ枠３４に回転可能に結合される箇所４８２０との距離Ｌ１を、メインガイド軸３６の半径以下に短縮することが可能となり、距離Ｌ１と距離Ｌ２との総和を大幅に短縮でき、雌ねじ部材４８の回転中心を鏡筒１６の内部に確保しつつ、光軸と直交する方向における雌ねじ部材４８の占有スペースを削減する上で有利となる。
また、本実施の形態では、雌ねじ部４８の各筒状部４８０４の内周面４８０６とメインガイド軸３６の外周面とが接触しない場合について説明したが、メインガイド軸３６に雌ねじ部材４８の各内周面４８０６を回転可能に結合し、かつ、雌ねじ部材４８と可動レンズ枠３４とを光軸方向に移動不能に結合するようにしてもよい。しかしながら、実施の形態のように構成すると、可動レンズ枠３４を光軸に沿って円滑に移動させる上で有利となる。
【００１９】
また、実施の形態では、レンズ鏡筒１６が撮像装置１０のケース１２の内部に組み込まれている場合について説明したが、レンズ鏡筒１６がケース１２の外方（前方）に出没可能に組み込まれた、いわゆる沈胴式のレンズ鏡筒であって本発明は無論適用可能である。
また、雄ねじ部材４０に螺合する雌ねじ部材４８の構成は、ねじ孔としてもよく、雌ねじ部材４８には従来公知の様々な構造が適用可能である。
また、実施の形態では、撮像装置がデジタルビデオカメラである場合について説明したが、本発明は、デジタルスチルカメラなどの種々の撮像装置、あるいは、カメラ付きの携帯電話機、カメラ付きのＰＤＡ（Ｐｅｒｓｏｎａｌ  Ｄｉｇｉｔａｌ  Ａｓｓｉｓｔａｎｔｓ）、カメラ付きのノート型パーソナルコンピュータなどに適用可能である。
【図面の簡単な説明】
【００２０】
【図１】本実施の形態の撮像装置１０を前方から見た斜視図である。
【図２】撮像装置１０の制御系の構成を示すブロック図である。
【図３】レンズ鏡筒１４の斜視図である。
【図４】レンズ鏡筒１４の斜視図である。
【図５】レンズ鏡筒１４の内部構成を示す説明図である。
【図６】レンズ鏡筒１４の内部構成を示す説明図である。
【図７】（Ａ）は図６のＡＡ線断面図、（Ｂ）は（Ａ）のＢＢ線断面図である。
【図８】（Ａ）、（Ｂ）は雌ねじ部材４８の斜視図である。
【図９】可動レンズ枠３４とホルダ４６の斜視図である。
【図１０】レンズ鏡筒１４を光軸方向から見た図である。
【図１１】比較例のレンズ鏡筒１４を光軸方向から見た図である。
【符号の説明】
【００２１】
１０……撮像装置、１４……レンズ鏡筒、１６……鏡筒、２０……撮像素子、２２……可動レンズ、３４……可動レンズ枠、３６……メインガイド軸、４０……雄ねじ部材、４４……駆動源、４８……雌ねじ部材、４８０２……雌ねじ部。
【図１】
2007079206.tif 000003
【図２】
2007079206.tif 000004
【図３】
2007079206.tif 000005
【図４】
2007079206.tif 000006
【図５】
2007079206.tif 000007
【図６】
2007079206.tif 000008
【図７】
2007079206.tif 000009
【図８】
2007079206.tif 000010
【図９】
2007079206.tif 000011
【図１０】
2007079206.tif 000012
【図１１】
2007079206.tif 000013